(57)【要約】      （修正有）【課題】光走査装置において、光ビームの偏向方向と直交する方向への光路ずれに容易に対応可能とし、センサ部において光ビームを確実に検出可能とする。【解決手段】光ビームを射出する光ビーム射出手段と、上記光ビームを平面内において偏向するポリゴンミラー３３と、上記光ビームを検出するセンサ部３８とを備える光走査装置であって、上記光ビームの偏向方向と直交する方向における上記センサ部の配置位置を調節可能なセンサ部配置位置調節手段３９を備える。【選択図】図３
2011137932.tif 000002
【特許請求の範囲】
【請求項１】
光ビームを射出する光ビーム射出手段と、前記光ビームを平面内において偏向する偏向手段と、前記光ビームを検出するセンサ部とを備える光走査装置であって、
前記光ビームの偏向方向と直交する方向における前記センサ部の配置位置を調節可能なセンサ部配置位置調節手段を備えることを特徴とする光走査装置。
【請求項２】
前記センサ部配置位置調節手段は、前記光ビームの偏向方向と直交する方向にずれて複数配列される前記センサ部の設置面を有する段差部を備えることを特徴とする請求項１記載の光走査装置。
【請求項３】
各設置面の高さは、各前記設置面に設置された際の前記センサ部の受光領域同士が連続するように設定されていることを特徴とする請求項２記載の光走査装置。
【請求項４】
前記センサ部配置位置調節手段は、各設置面に対して設けられる突設部と、該突設部及び前記センサ部を伴に狭持することにより前記センサ部を固定する脱着可能なクリップとを備えることを特徴とする請求項２または３記載の光走査装置。
【請求項５】
光ビームを射出すると共に走査する光走査装置と、前記光ビームが照射されることにより静電潜像が形成される感光体と、前記静電潜像を現像することでトナー像を形成する現像装置とを備える画像形成装置であって、
前記光走査装置として、請求項１〜４いずれかに記載の光走査装置を備えることを特徴とする画像形成装置。
【発明の詳細な説明】
【技術分野】
【０００１】
本発明は光走査装置及び画像形成装置に関する。
【背景技術】
【０００２】
従来から、複写機や複合機等の画像形成装置に組み込まれている画像形成ユニットの主要な構成要素である光走査装置は、内部に所定容積の空間を備えたハウジングを有している。そして、このハウジング内には、光ビーム（レーザ光）を発生する光ビーム発生器（光ビーム射出手段）と、その光ビーム発生器から照射されてくる光ビームを偏向する六角形等からなるポリゴンミラーと、そのポリゴンミラーを回転駆動するポリゴンモータ（ポリゴンスキャナモータ）と、そのポリゴンモータを支持するとともにＩＣ等の電子部品を実装する制御基板と、ポリゴンミラーにより偏向された光ビームを感光体に結像させる結像レンズ（ｆθレンズ）等の光学素子とが設けられている。
【０００３】
また、ハウジングの内部には、ポリゴンミラーによって偏向される光ビームを検出し、光ビームの初期位置を特定するためのセンサ部が設置されている。
そして、光走査装置においては、当該センサ部によって光ビームが検出されたタイミングに基づいて光走査の制御を行っている。
【先行技術文献】
【特許文献】
【０００４】
【特許文献１】特開２００１−１３４３５号公報
【発明の概要】
【発明が解決しようとする課題】
【０００５】
ところで、特許文献１では、光ビームの光学性能の劣化に起因してセンサ部における光ビームの検出が不安定になることを抑制するために、センサ部を理想像面と同等の位置から、光軸方向に移動させた構成を採用している。
しかしながら、光学素子等（例えばポリゴンミラーを含む）の取付誤差や光学素子等の性能誤差に起因して、光ビームの光路自体が僅かにずれることがある。
そして、光ビームの光路が偏向方向と直交する方向に移動した場合には、光ビームがセンサ部に入射せず、センサ部において光ビームを検出することができなくなり、制御自体が行えなくなる。特に、コスト削減等の目的により、従来センサ部の前段側に設けられていた光路調節用のレンズを削除する場合には、センサ部に対する光ビームのずれ量が大きくなり、センサ部に光ビームが入射しなくなる虞が増大する。
【０００６】
本発明は、上述する問題点に鑑みてなされたもので、光走査装置において、光ビームの偏向方向と直交する方向への光路ずれに容易に対応可能とし、センサ部において光ビームを確実に検出可能とすることを目的とする。
【課題を解決するための手段】
【０００７】
本発明は、上記課題を解決するための手段として、以下の構成を採用する。
【０００８】
第１の発明は、光ビームを射出する光ビーム射出手段と、上記光ビームを平面内において偏向する偏向手段と、上記光ビームを検出するセンサ部とを備える光走査装置であって、上記光ビームの偏向方向と直交する方向における上記センサ部の配置位置を調節可能なセンサ部配置位置調節手段を備えるという構成を採用する。
【０００９】
第２の発明は、上記第１の発明において、上記センサ部配置位置調節手段が、上記光ビームの偏向方向と直交する方向にずれて複数配列される上記センサ部の設置面を有する段差部を備えるという構成を採用する。
【００１０】
第３の発明は、上記第２の発明において、各設置面の高さが、各上記設置面に設置された際の上記センサ部の受光領域同士が連続するように設定されているという構成を採用する。
【００１１】
第４の発明は、上記第２または第３の発明において、上記センサ部配置位置調節手段が、各設置面に対して設けられる突設部と、該突設部及び上記センサ部を伴に狭持することにより上記センサ部を固定する脱着可能なクリップとを備えるという構成を採用する。
【００１２】
第５の発明は、光ビームを射出すると共に走査する光走査装置と、上記光ビームが照射されることにより静電潜像が形成される感光体と、上記静電潜像を現像することでトナー像を形成する現像装置とを備える画像形成装置であって、上記光走査装置として、上記第１〜第４いずれかの発明である光走査装置を備えるという構成を採用する。
【発明の効果】
【００１３】
本発明によれば、センサ部配置位置調節手段によって、センサ部の配置位置を光ビームの偏向方向と直交する方向に調節することができる。
このため、光学素子等の取付誤差や性能誤差に起因して光ビームが偏向方向と直交する方向にずれた場合であっても、センサ部の位置を調節することによってセンサ部を光ビームの受光可能な位置に移動させることができる。
したがって、本発明によれば、光ビームの偏向方向と直交する方向への光路ずれに容易に対応可能とし、センサ部において光ビームを確実に検出することが可能となる。
【図面の簡単な説明】
【００１４】
【図１】本発明の一実施形態の複写機の概略構成を示す断面図である。
【図２】本発明の一実施形態の複写機が備えるレーザスキャニングユニットのカバーを外した状態の斜視図である。
【図３】本発明の一実施形態の複写機が備えるレーザスキャニングユニットの高さ調節部を含む断面を模式的に示した図であり、低い位置にセンサ部が配置された様子を示す図である。
【図４】本発明の一実施形態の複写機が備えるレーザスキャニングユニットの高さ調節部を含む断面を模式的に示した図であり、高い位置にセンサ部が配置された様子を示す図である。
【図５】本発明の一実施形態の複写機が備えるレーザスキャニングユニットの高さ調節部の斜視図であり、低い位置にセンサ部が配置された様子を示す図である。
【図６】本発明の一実施形態の複写機が備えるレーザスキャニングユニットの高さ調節部の斜視図であり、高い位置にセンサ部が配置された様子を示す図である。
【図７】本発明の一実施形態の複写機が備えるレーザスキャニングユニットのセンサ素子の移動の様子を示す模式図である。
【発明を実施するための形態】
【００１５】
以下、図面を参照して、本発明に係る光走査装置及び画像形成装置の一実施形態について説明する。なお、以下の図面において、各部材を認識可能な大きさとするために、各部材の縮尺を適宜変更している。また、以下の説明においては、本発明の画像形成装置の一例として複写機を挙げて説明する。
【００１６】
図１は、本実施形態の複写機Ｐの概略構成を示す断面図である。この図に示すように、本実施形態の複写機Ｐは、原稿の画像を読み取る画像読取部１と、読み取った画像データに基づいて記録紙（記録媒体）に印刷を行う印刷部２とを備えている。
【００１７】
画像読取部１は、原稿の画像に光を照射し、その反射光を受光することによって原稿の画像を画像データとして読み取るものであり、原稿に光を照射する光源装置や原稿からの戻り光を受光して画像データに変換する受光センサ等を備えている。
【００１８】
印刷部２は、ベルトユニット６と、画像形成ユニット７と、給紙カセット８と、給紙トレイ９と、二次転写部１０と、定着部１１と、排紙トレイ１２と、搬送路１３とを備えている。
【００１９】
ベルトユニット６は、画像形成ユニット７において形成されるトナー画像が転写され、この転写されたトナー画像を搬送するものであり、画像形成ユニット７からトナー画像が転写される中間転写ベルト６１と、中間転写ベルト６１を架設すると共に無端回送させる駆動ローラ６２と、従動ローラ６３と及びテンションローラ６４を備えている。
中間転写ベルト６１は、駆動ローラ６２、従動ローラ６３及びテンションローラ６４に張架される構成となっている。
駆動ローラ６２は、モータ等の駆動源を有する駆動部に接続され、中間転写ベルト６１に対しグリップ力を付与しつつ回走させるものである。
従動ローラ６３は、駆動ローラ６２の回転駆動に従動して回転駆動するものである。
テンションローラ６４は、駆動ローラ６２の回転駆動に従動して回転駆動する従動ローラの一種であり、バネ機構を有して中間転写ベルト６１にテンションを与えるものである。
また、ベルトユニット６には、不図示のクリーニング部が併設されており、中間転写ベルト６１に残留したトナー等を除去する構成となっている。
【００２０】
画像形成ユニット７は、イエロー（Ｙ）、マゼンダ（Ｍ）、シアン（Ｃ）、ブラック（ＢＫ）の各色にそれぞれ対応して設けられており、各色のトナー画像を形成するものである。そして、これらの画像形成ユニット７は、中間転写ベルト６１に沿って配列されている。
【００２１】
各画像形成ユニット７は、感光体７１と、帯電器７２と、レーザスキャニングユニット７３（光走査装置）と、現像装置７４と、一次転写ローラ７５と、クリーニング装置７６及び不図示の除電装置等とを有する。
感光体７１は、円柱に形状設定され、その周面に静電潜像及び当該静電潜像に基づくトナー像が形成されるものである。帯電器７２は、感光体７１に対して対向配置され、感光体７１の周面を帯電状態とするものである。レーザスキャニングユニット７３は、印刷形式の画像データに基づいて射出されるレーザ光を帯電状態の感光体７１の周面において走査するものである。現像装置７４は、感光体７１の周面に対してトナーを供給することによって感光体７１の周面上に静電潜像に基づくトナー像を現像するものである。一次転写ローラ７５は、中間転写ベルト６１を挟んで感光体７１と対向配置され、感光体７１に現像されたトナー像を中間転写ベルト６１に一次転写するものである。クリーニング装置７６は、一次転写の後に感光体７１上に残留したトナーを除去するものである。
【００２２】
給紙カセット８は、装置本体に対して引き出し自在であり、記憶紙を収容するものである。給紙トレイ９は、装置本体に対して開閉自在であり、記憶紙を収容するものである。
二次転写部１０は、中間転写ベルト６１上に形成された画像を記憶媒体に二次転写するものであって、中間転写ベルト６１を駆動させる駆動ローラ６２と、中間転写ベルト６１を挟んで該駆動ローラ６２と対向配置される二次転写ローラ１０ａとから構成されている。
定着部１１は、記憶媒体上に二次転写されたトナー像を記録紙に定着させるものであり、加圧及び加熱することによりトナー像を記録紙に定着させる加熱ローラを備える。
搬送路１３は、給紙カセット８から記憶紙を搬出するピックアップローラ１３ａ、記憶媒体を搬送する給紙ローラ１３ｂ、排紙トレイ１２に記憶媒体を排紙する排紙ローラ１３ｃ等を備える。
【００２３】
このような構成を有する本実施形態の複写機Ｐは、上述のように、画像読取部１において画像データを取得し、さらに印刷部２が当該画像データに基づいて記録紙に印刷を行う。
【００２４】
次に、本実施形態の複写機Ｐにおけるレーザスキャニングユニット（ＬＳＵ）７３について、図２及び図３を用いて説明する。なお、各レーザスキャニングユニット７３は、同一構成であるため、以下の説明においては、１つのレーザスキャニングユニット７３のみについて説明する。
【００２５】
レーザスキャニングユニット７３は、ハウジング３１と、光ビーム発生器３２（光ビーム射出手段）と、ポリゴンミラー３３と、ポリゴンモータ３４と、制御基板３５と、光学素子３６ａ〜３６ｄと、反射ミラー３７と、センサ部３８と、高さ調節部３９とを備えている。
【００２６】
ハウジング３１は合成樹脂製で、内部に所定容積の空間を備えた中空体に成形されており、その内部にポリゴンミラー３３、ポリゴンモータ３４、制御基板３５、光学素子３６ａ〜３６ｄ、反射ミラー３７及びセンサ部３８等を収容している。
【００２７】
光ビーム発生器３２は、ハウジング３１の一つの側壁に設けられていて、ハウジング３１内に設けられているポリゴンミラー３３に向けて光ビームを照射するものである。
【００２８】
ポリゴンミラー３３は、光ビーム発生器３２から射出された光ビームを偏向するものであり、多角形（図示の例では六角形）を呈している。そして、ポリゴンミラー３３は、その外周が反射ミラーで形成されていて、その中心位置がポリゴンモータ３４の回転軸に貫通して取り付けられている。
【００２９】
ポリゴンモータ３４は、ポリゴンミラー３３を回転駆動するものであり、例えば、ＤＣブラシレスモータ等からなる精密モータから構成されていている。そして、このポリゴンモータ３４は、制御基板３５上に設置されている。
なお、本実施形態においては、ポリゴンミラー３３及びポリゴンモータ３４によって光ビームが単一平面内において偏向される。すなわち、本実施形態において、本発明における偏向手段は、ポリゴンミラー３３及びポリゴンモータ３４によって構成されている。
【００３０】
制御基板３５は、金属を含む板材からなり、その平面形状は長方形を呈している。そして、この制御基板３５は、裏面が僅かなクリアランスを介してハウジング３１の内側底面に対向して配置されており、その四隅がビス３５ａによって固定されることにより支持されている。この制御基板３５の表面側、すなわちハウジング３１の内側に向く面側には、ポリゴンモータ３４が実装されている。なお、図２では省略されているが、制御基板３５には、ポリゴンモータ３４の駆動用ＩＣ等の電子部品が実装されている。
【００３１】
光学素子３６ａ〜３６ｄのうち、光学素子３６ａは、光ビーム発生器３２から照射された光ビームをポリゴンミラー３３に照射するように作用するコリメートレンズである。
また、光学素子３６ｂは、感光体７１に結像するためのｆθレンズである。また、光学素子３６ｃが長尺レンズであり、光学素子３６ｄが三角レンズであり、これらの光学素子３６ｃ，３６ｄによって、ｆθレンズで結像された光ビームを感光体７１上に導いている。
【００３２】
反射ミラー３７、センサ部３８及び高さ調節部３９は、ハウジング３１内に配置されていて、このうち反射ミラー３７は、偏向される光ビームが横切る位置でかつ光学素子３６ｂから感光体７１までの光ビームの導光領域を遮らない位置に配置されており、受光した光ビームをセンサ部３８に向けて反射する。
【００３３】
センサ部３８は、光学素子３６ｂから感光体７１までの光ビームの導光領域を遮らない位置に配置されており、反射ミラー３７によって反射された光ビームを検出するものである。そして、センサ部３８は、センサ素子基板３８ａと、センサ素子３８ｂとを備えている。
センサ素子基板３８ａは、センサ素子３８ｂが設置される基板である。また、センサ素子３８ｂは、受光した光を電気信号に変換して出力する光センサ素子であり、反射ミラー３７側の矩形状の表面が受光領域とされたものである。
このようなセンサ部３８は、反射ミラー３７から光ビームを受けたときに出力する電気信号を同期検出信号として出力する。センサ部３８が不図示の制御装置と接続されており、当該制御装置は、センサ部３８からの同期検出信号に基づいて感光体７１における書き出し位置を設定する。
【００３４】
なお、反射ミラー３７は省略することもできる。すなわち、この反射ミラー３７の配置位置にセンサ部３８の配置が可能あれば、反射ミラー３７を省略してその場所にセンサ部３８を配置することができる。
【００３５】
高さ調節部３９は、センサ部３８の光ビームの偏向面（光ビームが偏向される面）と直交する方向の位置、すなわちセンサ部３８の高さ位置（光ビームの偏向方向と直交する方向における配置位置）を調節可能とするものである。
ここで、図３〜図６を用いて高さ調節部３９について詳しく説明する。なお、図３及び図４は、高さ調節部３９を含む断面を模式的に示した図であり、図３が低い位置にセンサ部３８が設置された様子を示す図であり、図４が高い位置にセンサ部３８が設置された様子を示す図である。なお、図３及び図４において反射ミラー３７は省略して図示している。また、図５は、センサ部３８が低い位置に設置された場合の高さ調節部３９を示す斜視図である。また、図６は、センサ部３８が高い位置に設置された場合の高さ調節部３９を示す斜視図である。
【００３６】
図５及び図６に示すように、高さ調節部３９は、設置台３９ａとクリップ３９ｂとを備えている。
設置台３９ａは、図３〜図６に示すように、ハウジング３１の底壁内側面から所定高さを有する低段部３９ｃ及びその高さより所定距離高い高段部３９ｄの２つの段部を有している。そして、低段部３９ｃの上面３９ｃ１と高段部３９ｄの上面３９ｄ１とがセンサ部３８の設置面とされている。
つまり、本実施形態の設置台３９ａにおいては、センサ部３８の設置面となる低段部３９ｃの上面３９ｃ１と高段部３９ｄの上面３９ｄ１とが高さ方向にずれて配列されている。
【００３７】
そして、センサ部３８を低段部３９ｃの上面３９ｃ１に設置することによってセンサ部３８が低い位置に配置され、センサ部３８を高段部３９ｄの上面３９ｄ１に設置することによってセンサ部３８が高い位置に配置される。
つまり、本実施形態においては、センサ部３８の設置位置を低段部３９ｃの上面３９ｃ１にするか高段部３９ｄの上面３９ｄ１にするかを選択することによって、センサ部３８の高さ方向の位置を調節することが可能となっている。
【００３８】
なお、低段部３９ｃと高段部３９ｄとは、センサ部３８のセンサ素子３８ｂが反射ミラー３７（図３〜図６においては不図示）側を向くように、反射ミラー３７に向けて配列されており、低段部３９ｃが反射ミラー３７側に配置され、高段部３９ｄが反射ミラー３７から遠い側に配置されている。
【００３９】
また、低段部３９ｃの上面３９ｃ１の高さと高段部３９ｄの上面３９ｄ１の高さとは、図７に示すように、各上面３９ｃ１，３９ｄ１に設置された際のセンサ素子３８ｂの受光面（センサ部３８の受光領域）同士が高さ方向Ｈにおいて連続するように設定されている。
【００４０】
また、設置台３９ａは、低段部３９ｃの上面３９ｃ１と高段部３９ｄの上面３９ｄ１との各々に対して突設部３９ｅを備えている。
そして、クリップ３９ｂは、図５及び図６に示すように、突設部３９ｅとセンサ部３８とを伴に狭持することによってセンサ部３８を低段部３９ｃの上面３９ｃ１あるいは高段部３９ｄの上面３９ｄ１に対して固定する。このクリップ３９ｂは、コ字状を呈していて、弾性に富んだバネ鋼等から構成されている。
そして、本実施形態においては、２つのクリップ３９ｂによってセンサ部３８が設置台３９ａに対して固定されている。
なお、ここでは、センサ部３８の設置台３９ａへの取り付けは、クリップ３９ｂを用いて行なったが、接着材やネジ止め等の他の保持手段を採用することもできる。しかし、これらクリップ３９ｂは容易に脱着可能であるため、センサ部３８の設置台３９ａへの取り付け及び取り外しを容易に行なうことができる。
【００４１】
このように構成されたレーザスキャニングユニット７３においては、光ビーム発生器３２から画像データに基づいて生成された光ビームが射出され、この光ビームは、ポリゴンミラー３３に照射される。ポリゴンミラー３３に照射された光ビームは、ポリゴンミラー３３の回転により走査される。そして、その走査された光ビームは、光学素子３６ａ（ｆθレンズ）、光学素子３６ｂ、光学素子３６ｃ（長尺レンズ）及び光学素子３６ｄ（三角レンズ）を介して感光体７１上に導かれる。感光体７１上には、センサ部３８で検出された同期信号、すなわち、感光体７１への画像の書き出し位置を決定するための検知信号に基づいて、照射された光ビームによって静電潜像が形成される。
【００４２】
そして、本実施形態の複写機Ｐが備えるレーザスキャニングユニット７３によれば、高さ調節部３９によって、センサ部３８の配置位置を光ビームの偏向方向と直交する方向に調節することができる。
このため、光学素子３６ａ〜３６ｄやポリゴンミラー３３等の取付誤差や性能誤差に起因して光ビームが偏向方向と直交する方向にずれた場合であっても、センサ部３８の位置を調節することによってセンサ部３８を光ビームの受光可能な位置に移動させることができる。
したがって、本実施形態の複写機Ｐが備えるレーザスキャニングユニット７３によれば、光ビームの偏向方向と直交する方向への光路ずれに容易に対応可能とし、センサ部３８において光ビームを確実に検出することが可能となる。
【００４３】
また、本実施形態の複写機Ｐが備えるレーザスキャニングユニット７３においては、高さ調節部３９が、高さ方向に配列される低段部３９ｃの上面３９ｃ１と高段部３９ｄの上面３９ｄ１とを有する設置台３９ａを有している。
このため、センサ部３８の設置位置を設置台３９ａにおける２つの上面３９ｃ１，３９ｄ１の間で移動させることにより、センサ部３８の高さ調節を容易に行うことができる。
【００４４】
また、本実施形態の複写機Ｐが備えるレーザスキャニングユニット７３においては、低段部３９ｃの上面３９ｃ１の高さと高段部３９ｄの上面３９ｄ１の高さとが、各上面３９ｃ１，３９ｄ１に設置された際のセンサ素子３８ｂの受光面同士が高さ方向Ｈにおいて連続するように設定されている。
このため、センサ部３８を上面３９ｃ１，３９ｄ１のいずれかに設置することによって、確実に光ビームを受光することが可能となる。
【００４５】
また、本実施形態の複写機Ｐが備えるレーザスキャニングユニット７３においては、高さ調節部３９が、上面３９ｃ１，３９ｄ１の各々に設置される突設部３９ｅと、この突設部３９ｅ及びセンサ部３８を伴に狭持することによりセンサ部３８を固定する脱着可能なクリップ３９ｂとを備えている。
このため、クリップ３９ｂを取り外すことによって、センサ部３８を上面３９ｃ１，３９ｄ１の間で容易に取り付け換えることが可能となる。
【００４６】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００４７】
例えば、上記実施形態においては、本発明の光走査装置の一例であるレーザスキャニングユニット７３が画像形成装置の１つのである複写機に搭載された構成について説明した。
しかしながら、本発明の光走査装置は、これに限定されるものではなく、複写機等の画像形成装置以外に、計測器、検査装置等の機器に搭載しても良い。
【００４８】
また、上記実施形態においては、センサ部３８を設置面が低段部３９ｃの上面３９ｃ１と高段部３９ｄの上面３９ｄ１との２つである構成について説明した。
しかしながら、本発明はこれに限定されるものではなく、さらに多くの設置面を備える構成を採用することもできる。
【００４９】
また、上記実施形態においては、単一の設置台３９ａにセンサ部３８が設置される設置面（上面３９ｃ１，３９ｄ１）が設けられた構成について説明した。
しかしながら、本発明はこれに限定されるものではなく、設置台３９ａとは異なる部材を設け、当該部材にセンサ部３８の設置面を設けても良い。
【００５０】
また、上記実施形態においては、低段部３９ｃの上面３９ｃ１の高さと高段部３９ｄの上面３９ｄ１の高さとが、各上面３９ｃ１，３９ｄ１に設置された際のセンサ素子３８ｂの受光面同士が高さ方向Ｈにおいて連続するように設定されている。
しかしながら、本発明はこれに限定されるものではなく、各上面３９ｃ１，３９ｄ１に設置された際のセンサ素子３８ｂの受光面同士が高さ方向Ｈにおいて離間することを除外するものではない。
【符号の説明】
【００５１】
Ｐ……複写機（画像形成装置）、７３……レーザスキャニングユニット（光走査装置）、３１……ハウジング、３２……光ビーム発生器（光ビーム射出手段）、３３……ポリゴンミラー、３４……ポリゴンモータ、３６ａ〜３６ｄ……光学素子、３８……センサ部、３９……高さ調節部（センサ部配置位置調節手段）、３９ａ……設置台（段差部）、３９ｂ……クリップ、３９ｃ……低段部、３９ｃ１……上面（設置面）、３９ｄ……高段部、３９ｄ１……上面（設置面）、３９ｅ……突設部、７１……感光体、７４……現像装置
【図１】
2011137932.tif 000003
【図２】
2011137932.tif 000004
【図３】
2011137932.tif 000005
【図４】
2011137932.tif 000006
【図５】
2011137932.tif 000007
【図６】
2011137932.tif 000008
【図７】
2011137932.tif 000009